(57)【要約】【課題】犠牲陽極が消耗したことを簡単な構造で外部から容易に判別することができる水冷式熱交換器を提供する。【解決手段】水冷式熱交換器（１０）では、ケーシング（１１）は、犠牲陽極（３０）の腐食前においては水室（Ｓ２，Ｓ３）内の水の進入が阻止される一方で犠牲陽極（３０）の腐食の進行後には水室（Ｓ２，Ｓ３）内の水が進入するように構成された導水部（４０）を備える。導水部（４０）の一部を構成する外壁（４０Ｅ）は、導水部（４０）に進入した水をケーシング（１１）の外部から目視可能なように透明又は半透明の部材によって形成されている。【選択図】図４
2016017684.tif 000002
【特許請求の範囲】
【請求項１】
冷媒室（Ｓ１）と水室（Ｓ２，Ｓ３）とが区画形成されたケーシング（１１）と、前記水室（Ｓ２，Ｓ３）内の水に接するように設けられた犠牲陽極（３０）とを備えた水冷式熱交換器であって、
前記ケーシング（１１）は、前記犠牲陽極（３０）の腐食前においては前記水室（Ｓ２，Ｓ３）内の水の進入が阻止される一方で前記犠牲陽極（３０）の腐食の進行後には前記水室（Ｓ２，Ｓ３）内の水が進入するように構成された導水部（４０）を備え、
前記導水部（４０）の一部を構成する外壁（４０Ｅ）は、前記導水部（４０）に進入した水を前記ケーシング（１１）の外部から目視可能なように透明又は半透明の部材によって形成されている水冷式熱交換器。
【請求項２】
前記導水部（４０）には前記外壁（４０Ｅ）から前記水室（Ｓ２，Ｓ３）までつながる貫通孔（５０）が形成されており、
前記貫通孔（５０）は、前記犠牲陽極（３０）の腐食前においては前記犠牲陽極（３０）によって塞がれている一方で、前記犠牲陽極（３０）の腐食の進行後には前記水室（Ｓ２，Ｓ３）内の水を前記外壁（４０Ｅ）側に案内するように構成されている、請求項１に記載の水冷式熱交換器。
【請求項３】
前記導水部（４０）は、前記外壁（４０Ｅ）から遠ざかる方向に延びる導水部本体（４１）と、前記導水部本体（４１）とは別体の部材であって前記導水部本体（４１）と前記犠牲陽極（３０）とを連結する連結部材（４２）と、を備え、
前記貫通孔（５０）は、前記導水部本体（４１）を貫通する第１貫通孔（５１）と、前記連結部材（４２）を貫通する第２貫通孔（５２）とを含み、
前記第２貫通孔（５２）の一端は、前記第１貫通孔（５１）に連通しており、前記第２貫通孔（５２）の他端は、前記犠牲陽極（３０）の腐食前においては前記犠牲陽極（３０）によって塞がれている、請求項２に記載の水冷式熱交換器。
【請求項４】
前記連結部材（４２）の外面には、雄ねじ（４２Ｓ）が形成されおり、
前記導水部本体（４１）の前記第１貫通孔（５１）の内面には、前記連結部材（４２）の一端が螺合される雌ねじ（４１Ｓ）が形成されており、
前記犠牲陽極（３０）には、前記連結部材（４２）の他端における前記雄ねじ（４２Ｓ）が螺合される雌ねじ（４１Ｓ）が形成されている、請求項３に記載の水冷式熱交換器。
【請求項５】
前記貫通孔（５０）は、前記犠牲陽極（３０）の腐食前においては前記外壁（４０Ｅ）とは反対側の開口（５０Ａ）から内部に前記犠牲陽極（３０）の少なくとも一部が挿入されることによって前記開口が塞がれている、請求項２に記載の水冷式熱交換器。
【請求項６】
前記導水部（４０）は、前記貫通孔（５０）に挿入された前記犠牲陽極（３０）の少なくとも一部を前記開口（５０Ａ）の外側から覆って前記犠牲陽極（３０）の動きを規制するとともに前記水室（Ｓ２，Ｓ３）の水が前記犠牲陽極（３０）に到達するにように流入孔（４３Ａ）が形成された被覆部材（４３）を含む、請求項５に記載の水冷式熱交換器。
【請求項７】
前記被覆部材（４３）は、多数の前記流入孔（４３Ａ）を有するメッシュ状の部材によって構成されている、請求項６に記載の水冷式熱交換器。
【請求項８】
前記貫通孔（５０）は、前記外壁（４０Ｅ）側の部分がその反対側の部分よりも低くなるように傾いた傾斜部（５３）を有する、請求項２〜７の何れか１項に記載の水冷式熱交換器。
【請求項９】
前記貫通孔（５０）は、前記外壁（４０Ｅ）に隣接する水溜め部（５４）を有し、
前記水溜め部（５４）は、前記水溜め部（５４）に対して前記外壁（４０Ｅ）とは反対側に隣接する前記貫通孔（５０）の内側部分（５５）よりも内寸が拡大されている、請求項２〜８の何れか１項に記載の水冷式熱交換器。
【請求項１０】
前記水溜め部（５４）の底部（５４Ｂ）は、前記内側部分（５５）の底部（５５Ｂ）よりも低い位置に設けられている、請求項９に記載の水冷式熱交換器。
【請求項１１】
前記導水部（４０）は、前記貫通孔（５０）と前記ケーシング（１１）の外部とを連通する空気孔（４０Ａ）を有している、請求項２〜１０の何れか１項に記載の水冷式熱交換器。
【請求項１２】
前記空気孔（４０Ａ）は、前記貫通孔（５０）の上方に設けられている、請求項１１に記載の水冷式熱交換器。
【請求項１３】
前記ケーシング（１１）は、
筒状の胴部（１１ａ）と、
前記胴部（１１ａ）の端に設けられ、開口部（１１ｆ）を有する蓋（１１ａ，１１ｂ）と、を備え、
前記導水部（４０）は、前記蓋（１１ｂ，１１ｃ）とは別体として設けられたものであり、前記蓋（１１ｂ，１１ｃ）の前記開口部（１１ｆ）を塞いでいる、請求項１〜１２の何れか１項に記載の水冷式熱交換器。
【発明の詳細な説明】
【技術分野】
【０００１】
本発明は、水冷式熱交換器に関する。
【背景技術】
【０００２】
従来、船舶の空気調和装置等において水冷式のシェルアンドチューブ型の熱交換器が用いられている。船舶に設置された水冷式の熱交換器では、海水を導入して熱交換媒体として用いることが多い。そのため、海水によって熱交換器内部の金属が腐食してしまうおそれがあった。そこで、このような水冷式熱交換器では、内部に犠牲陽極を設け、犠牲陽極を先に酸化させることによって内部の金属の腐食を防止している（例えば特許文献１参照）。
【０００３】
しかしながら、この特許文献１における水冷式熱交換器では、ユーザーは、ケーシングの一部（例えば犠牲陽極を覆う蓋）を取り外して犠牲陽極の腐食度合い（消耗度合い）を確認する必要がある。
【０００４】
特許文献２には、船舶用防食ボルト警報装置が開示されている。この警報装置は、防食ボルトと、警報コントローラとを備える。防食ボルトは、船舶用凝縮器のカバーに据え付けられる。防食ボルトは、継ぎ手ナット、継ぎ手、仕切りボルト及び防食ブロックを含む。防食ブロック、ボルト、継ぎ手及び継ぎ手ナットには、相互につながる第一、第二、第三及び第四の漏れ穴が設けられている。第四の漏れ穴は水圧コントローラに連接され、水圧コントローラは警報コントローラに連接されている。この特許文献２の警報装置では、防食ブロックの腐食を警報コントローラが検知することによって適当な時期に防食ボルトを交換するように注意喚起することができる、とされている。
【先行技術文献】
【特許文献】
【０００５】
【特許文献１】特開２０１０−２４３１００号公報
【特許文献２】中国特許出願公開第１０２０３２６５２号明細書
【発明の概要】
【発明が解決しようとする課題】
【０００６】
しかしながら、特許文献２に開示されている警報装置では、防食ブロックの腐食を検知するために水圧コントローラ、警報コントローラなどを設ける必要があるので、構造が複雑になり、その分だけコストもアップするという課題がある。
【０００７】
本発明の目的は、犠牲陽極が消耗したことを簡単な構造で外部から容易に判別することができる水冷式熱交換器を提供することである。
【課題を解決するための手段】
【０００８】
本発明の水冷式熱交換器は、冷媒室（Ｓ１）と水室（Ｓ２，Ｓ３）とが区画形成されたケーシング（１１）と、前記水室（Ｓ２，Ｓ３）内の水に接するように設けられた犠牲陽極（３０）とを備えた交換器である。前記ケーシング（１１）は、前記犠牲陽極（３０）の腐食前においては前記水室（Ｓ２，Ｓ３）内の水の進入が阻止される一方で前記犠牲陽極（３０）の腐食の進行後には前記水室（Ｓ２，Ｓ３）内の水が進入するように構成された導水部（４０）を備える。前記導水部（４０）の一部を構成する外壁（４０Ｅ）は、前記導水部（４０）に進入した水を前記ケーシング（１１）の外部から目視可能なように透明又は半透明の部材によって形成されている。
【０００９】
この構成では、犠牲陽極（３０）の腐食が進行している場合には、水冷式熱交換器の点検などを行うユーザーは、導水部（４０）に進入した水を導水部（４０）の一部を構成する外壁（４０Ｅ）を通じてケーシング（１１）の外部から視認することができる。したがって、ユーザーは、犠牲陽極（３０）の消耗度合いを確認する際には、例えばケーシングの一部（例えば犠牲陽極を覆う蓋）を取り外す必要がなく、また、防食ボルトの腐食を検知するための水圧コントローラ、警報コントローラなどを設ける必要もない。よって、本構成では、犠牲陽極（３０）が消耗したことを簡単な構造で外部から容易に判別することができる。
【００１０】
前記水冷式熱交換器において、前記導水部（４０）には前記外壁（４０Ｅ）から前記水室（Ｓ２，Ｓ３）までつながる貫通孔（５０）が形成されており、前記貫通孔（５０）は、前記犠牲陽極（３０）の腐食前においては前記犠牲陽極（３０）によって塞がれている一方で、前記犠牲陽極（３０）の腐食の進行後には前記水室（Ｓ２，Ｓ３）内の水を前記外壁（４０Ｅ）側に案内するように構成されているのが好ましい。この構成では、貫通孔（５０）が水室（Ｓ２，Ｓ３）に連通するまで犠牲陽極（３０）が腐食すると、貫通孔（５０）を通じて水室（Ｓ２，Ｓ３）内の水が外壁（４０Ｅ）側に案内される。したがって、貫通孔（５０）が水室（Ｓ２，Ｓ３）に連通するまでは犠牲陽極（３０）の使用を継続することができ、貫通孔（５０）が水室（Ｓ２，Ｓ３）に連通するまで腐食が進行したときには犠牲陽極（３０）の交換時期であることをユーザーに知らせることができる。
【００１１】
前記水冷式熱交換器において、前記導水部（４０）は、前記外壁（４０Ｅ）から遠ざかる方向に延びる導水部本体（４１）と、前記導水部本体（４１）とは別体の部材であって前記導水部本体（４１）と前記犠牲陽極（３０）とを連結する連結部材（４２）とを備え、前記貫通孔（５０）は、前記導水部本体（４１）を貫通する第１貫通孔（５１）と、前記連結部材（４２）を貫通する第２貫通孔（５２）とを含み、前記第２貫通孔（５２）の一端は、前記第１貫通孔（５１）に連通しており、前記第２貫通孔（５２）の他端は、前記犠牲陽極（３０）の腐食前においては前記犠牲陽極（３０）によって塞がれた構造を例示することができる。
【００１２】
具体的には、前記連結部材（４２）の外面には、雄ねじ（４２Ｓ）が形成されおり、前記導水部本体（４１）の前記第１貫通孔（５１）の内面には、前記連結部材（４２）の一端が螺合される雌ねじ（４１Ｓ）が形成されており、前記犠牲陽極（３０）には、前記連結部材（４２）の他端における前記雄ねじ（４２Ｓ）が螺合される雌ねじ（４１Ｓ）が形成される構造を例示することができる。この構成では、連結部材（４２）を介して導水部本体（４１）と犠牲陽極（３０）とをねじ構造によって連結することができ、簡単な作業で犠牲陽極（３０）を導水部（４０）によって保持させることができる。この連結状態においては、第１貫通孔（５１）と第２貫通孔（５２）とによる連続した一続きの孔（貫通孔（５０））が形成され、犠牲陽極（３０）の腐食前においてはこの貫通孔（５０）を犠牲陽極（３０）によって塞いだ状態とすることができる。
【００１３】
前記水冷式熱交換器において、前記貫通孔（５０）は、前記犠牲陽極（３０）の腐食前においては前記外壁（４０Ｅ）とは反対側の開口（５０Ａ）から内部に前記犠牲陽極（３０）の少なくとも一部が挿入されることによって前記開口（５０Ａ）が塞がれた形態であってもよい。この構成では、犠牲陽極（３０）を開口（５０Ａ）から貫通孔（５０）の内部に挿入するだけで、貫通孔（５０）を塞ぐことができるので、上述したような連結部材（４２）が不要になる。
【００１４】
前記水冷式熱交換器において、前記導水部（４０）は、前記貫通孔（５０）に挿入された前記犠牲陽極（３０）の少なくとも一部を前記開口（５０Ａ）の外側から覆って前記犠牲陽極（３０）の動きを規制するとともに前記水室（Ｓ２，Ｓ３）の水が前記犠牲陽極（３０）に到達するにように流入孔（４３Ａ）が形成された被覆部材（４３）を含んでいるのが好ましい。この構成では、犠牲陽極（３０）が貫通孔（５０）から脱落するなどの不具合が生じるのを防止でき、しかも、この被覆部材（４３）に流入孔（４３Ａ）が形成されているので、水室（Ｓ２，Ｓ３）の水が犠牲陽極（３０）に確実に到達して犠牲陽極（３０）の機能を発揮させることができる。
【００１５】
前記水冷式熱交換器において、前記被覆部材（４３）は、多数の前記流入孔（４３Ａ）を有するメッシュ状の部材によって構成されているのが好ましい。このメッシュ状の部材では、多数の流入孔（４３Ａ）が設けられているので、水室（Ｓ２，Ｓ３）の水を円滑に犠牲陽極（３０）側に流入させることができる。
【００１６】
前記水冷式熱交換器において、前記貫通孔（５０）は、前記外壁（４０Ｅ）側の部分がその反対側の部分よりも低くなるように傾いた傾斜部（５３）を有していてもよい。この構成では、犠牲陽極（３０）の腐食の進行後には、水は、傾斜部（５３）において高い位置から低い位置に流れるので、貫通孔（５０）内を外壁（４０Ｅ）側によりスムーズに流れやすくなる。
【００１７】
前記水冷式熱交換器において、前記貫通孔（５０）は、前記外壁（４０Ｅ）に隣接する水溜め部（５４）を有し、前記水溜め部（５４）は、前記水溜め部（５４）に対して前記外壁（４０Ｅ）とは反対側に隣接する前記貫通孔（５０）の内側部分（５５）よりも内寸が拡大されている。この構成では、外壁（４０Ｅ）に隣接する位置に、貫通孔（５０）の一部として水溜め部（５４）が設けられており、この水溜め部（５４）の内寸は、この水溜め部（５４）に対して外壁（４０Ｅ）とは反対側に隣接する貫通孔（５０）の内側部分（５５）の内寸よりも大きい。したがって、水溜め部（５４）に多くの水を収容することができるので、導水部（４０）に進入した水の視認性が向上する。
【００１８】
前記水冷式熱交換器において、前記水溜め部（５４）の底部（５４Ｂ）は、前記内側部分（５５）の底部（５５Ｂ）よりも低い位置に設けられている。この構成では、水溜め部（５４）において水を溜めるための容積を大きくすることができる。そして、後述するように、空気孔（４０Ａ）が貫通孔（５０）の上方に設けられている場合には、水溜め部（５４）内の水位が空気孔（４０Ａ）に達するまでは水が水溜め部（５４）の外部に漏れ出さない。
【００１９】
前記水冷式熱交換器において、前記導水部（４０）は、前記貫通孔（５０）と前記ケーシング（１１）の外部とを連通する空気孔（４０Ａ）を有している場合には、水室（Ｓ２，Ｓ３）内の水が貫通孔（５０）に流入しやすくなる。
【００２０】
前記水冷式熱交換器において、前記空気孔（４０Ａ）は、前記貫通孔（５０）の上方に設けられているのが好ましい。この構成では、貫通孔（５０）内に水が満たされるまでは、貫通孔（５０）内の水は空気孔（４０Ａ）からケーシング（１１）の外部に流出しない。これにより、貫通孔（５０）内の水がケーシング（１１）の外部に漏れ出す時期を遅らせることができる。
【００２１】
前記水冷式熱交換器において、前記ケーシング（１１）は、筒状の胴部（１１ａ）と、前記胴部（１１ａ）の端に設けられ、開口部（１１ｆ）を有する蓋（１１ａ，１１ｂ）と、を備え、前記導水部（４０）は、前記蓋（１１ａ，１１ｂ）とは別体として設けられたものであり、前記蓋（１１ａ，１１ｂ）の前記開口部（１１ｆ）を塞いでいる形態を例示できる。この構成では、導水部（４０）は、蓋（１１ａ，１１ｂ）とは別体として設けられたものであるので、例えば導水部（４０）において、透明又は半透明の外壁（４０Ｅ）を設けたり、貫通孔（５０）を設けたりする加工が施しやすい。
【発明の効果】
【００２２】
本発明によれば、犠牲陽極が消耗したことを簡単な構造で外部から容易に判別することができる。
【図面の簡単な説明】
【００２３】
【図１】本発明の一実施形態に係る水冷式熱交換器を示す平面図であり、内部構造を説明するために一部分を破断させて描いている。
【図２】前記水冷式熱交換器における前蓋付近を拡大した断面図である。
【図３】前記水冷式熱交換器における後蓋付近を拡大した断面図である。
【図４】（Ａ）は、前蓋及び後蓋に設けられた導水部及び犠牲陽極の付近を拡大した断面図であり、犠牲陽極の腐食が進行する前の状態を示している。（Ｂ）は、前蓋及び後蓋に設けられた導水部及び犠牲陽極の付近を拡大した側面図である。
【図５】前蓋及び後蓋に設けられた導水部及び犠牲陽極の付近を拡大した断面図であり、犠牲陽極の腐食が進行した後の状態を示している。
【図６】（Ａ），（Ｂ）は、前記導水部の変形例１を示す断面図であり、（Ａ）は、犠牲陽極の腐食が進行する前の状態を示しており、（Ｂ）は、犠牲陽極の腐食が進行した後の状態を示している。
【図７】前記導水部の変形例２を示す断面図である。
【図８】（Ａ），（Ｂ）は、前記導水部の変形例３を示す断面図であり、（Ａ）は、犠牲陽極の腐食が進行する前の状態を示しており、（Ｂ）は、犠牲陽極の腐食が進行した後の状態を示している。
【図９】前記導水部の変形例４を示す断面図である。
【図１０】前記導水部の変形例５を示す断面図である。
【図１１】前記導水部の変形例６を示す断面図である。
【発明を実施するための形態】
【００２４】
以下、本発明の一実施形態に係る水冷式熱交換器１０について図面に基づいて詳細に説明する。説明に際し、図１の右側を「前」とし、図１の左側を「後」とする。本実施形態の水冷式熱交換器１０は、空気調和装置などの冷凍装置（例えば船舶用の空気調和装置）の凝縮器又は蒸発器として用いられ、導入された海水と冷媒との間で熱交換するためのものであるが、船舶以外の用途の空気調和機などの冷凍装置に用いることもできる。
【００２５】
［水冷式熱交換器の全体構造］
図１に示すように、本実施形態に係る水冷式熱交換器１０は、所謂シェルアンドチューブ型の熱交換器である。水冷式熱交換器１０は、密閉型の円筒形のケーシング１１（シェル１１）と、ケーシング１１の内部に設けられた複数の伝熱管１２（チューブ１２）とを備えている。熱交換器１０は、支持台１３に固定され、例えばケーシング１１の軸方向（長手方向）が水平方向に延びるように横向きに設置されている。
【００２６】
図１、図２及び図３に示すように、ケーシング１１は、円筒状の胴部１１ａと、胴部１１ａの一端に設けられた前蓋１１ｂと、胴部１１ａの他端に設けられた後蓋１１ｃと、導水部４０とを備えている。
【００２７】
胴部１１ａの一端は、円板状の前管板２１によって覆われている。一方、胴部１１ａの他端は、円板状の後管板２２によって覆われている。これらの前管板２１及び後管板２２が設けられていることによって、ケーシング１１の内部は、胴部１１ａと両管板２１，２２によって囲まれた冷媒室Ｓ１と、前蓋１１ｂと前管板２１とによって囲まれた前側水室Ｓ２と、後蓋１１ｃと後管板２２とによって囲まれた後側水室Ｓ３とに区画されている。
【００２８】
胴部１１ａの上部であって長手方向の中央部には、冷媒の導入管１５の一端が接続されている。一方、胴部１１ａの下部であって長手方向の中央部と両端部とのそれぞれの間には、冷媒の導出連絡管１６の一端部と他端部とがそれぞれ接続されている。導出連絡管１６の中央部には、導出管１７の一端が接続されている。導入管１５及び導出管１７は、冷媒室Ｓ１に連通している。図示を省略するが、導入管１５と導出管１７の他端は、空気調和装置等の冷凍装置の冷媒回路に接続されている。
【００２９】
前蓋１１ｂの下部には、水の流入管１９が接続されている。一方、前蓋１１ｂの上部には、水の流出管１８が接続されている。また、前蓋１１ｂの内面には、仕切板１１ｄが形成されている。仕切板１１ｄは、前側水室Ｓ２を、流入管１９側の入口水室Ｓ２２と流出管１８側の出口水室Ｓ２１とに仕切っている。つまり、流入管１９の一端は入口水室Ｓ２２において開口し、流出管１８の一端は出口水室Ｓ２１において開口している。
【００３０】
冷媒室Ｓ１には、複数の伝熱管１２が胴部１１ａの軸方向に延びるように設けられている。複数の伝熱管１２は、前端が前管板２１に支持される一方、後端が後管板２２に支持されるように、両管板２１，２２に挿入されている。具体的には、前管板２１及び後管板２２には複数の貫通孔が形成されており、複数の伝熱管１２の両端部は、前管板２１及び後管板２２の複数の貫通孔にそれぞれ挿入されている。なお、複数の伝熱管１２の前端は前側水室Ｓ２の入口水室Ｓ２２又は出口水室Ｓ２１において開口し、後端は後側水室Ｓ３において開口している。
【００３１】
このような構成により、入口水室Ｓ２２、後側水室Ｓ３及び出口水室Ｓ２１は、複数の伝熱管１２によって連通されることになる。つまり、冷媒室Ｓ１の下半分に配された伝熱管１２によって入口水室Ｓ２２と後側水室Ｓ３とが連通され、冷媒室Ｓ１の上半分に配された伝熱管１２によって後側水室Ｓ３と出口水室Ｓ２１とが連通されている。そして、これら３つの水室Ｓ３，Ｓ２１，Ｓ２２と複数の伝熱管１２とによって複数の水流路が形成されている。
【００３２】
本実施形態では、ケーシング１１、伝熱管１２、前管板２１及び後管板２２は、例えば鉄や銅（黄銅、青銅など）によって形成されているが、これに限られない。
【００３３】
水冷式熱交換器１０には、水流路を構成する金属の腐食を防止するために犠牲陽極３０が設けられている。水流路を構成する金属としては、管板２１，２２、伝熱管１２、前蓋１１ｂ、後蓋１１ｃなどを例示することができる。
【００３４】
本実施形態では、犠牲陽極３０は、例えば亜鉛によって形成されている。しかし、犠牲陽極３０の材質は亜鉛に限らず、水流路を構成する金属（本実施形態では鉄、銅など）よりも酸化しやすい金属（イオン化傾向の高い金属）であればよい。
【００３５】
本実施形態では、犠牲陽極３０は、少なくとも一つの水室に設けられている。具体的に、犠牲陽極３０は、例えば前側水室Ｓ２及び後側水室Ｓ３の少なくとも一方に設けられている。犠牲陽極３０は、各水室Ｓ２１，Ｓ２２，Ｓ３に設けられていてもよい。図１〜図３に示す実施形態では、前側水室Ｓ２に複数の犠牲陽極３０（具体的には２つの犠牲陽極３０）が設けられており、後側水室Ｓ３に複数の犠牲陽極３０（具体的には２つの犠牲陽極３０）が設けられている。各犠牲陽極３０は、導水部４０に取り付けられている。導水部４０については後述する。
【００３６】
［水冷式熱交換器の動作］
流入管１９を介して入口水室Ｓ２２には、水（例えば海水）が供給される。入口水室Ｓ２２に流入した水は、入口水室Ｓ２２において開口する伝熱管１２（図１における下半分の伝熱管）の内部を通って後側水室Ｓ３に至る。後側水室Ｓ３に流入した水は、流動方向を１８０°転換し、前端が出口水室Ｓ２１において開口する伝熱管１２（図１における上半分の伝熱管）を通って出口水室Ｓ２１に至る。そして、出口水室Ｓ２１に流入した水は、流出管１８から排出される。
【００３７】
一方、冷媒室Ｓ１には、導入管１５を介して冷媒回路の冷媒が導入される。冷媒室Ｓ１に導入された冷媒は、複数の伝熱管１２の外側を上層部から下層部へと流れる。このとき、伝熱管１２の外側を流れる冷媒は、伝熱管１２の内部を流れる水と熱交換を行う。そして、冷媒室Ｓ１の下層部に至った冷媒は、導出連絡管１６に流入し、導出管１７から排出される。
【００３８】
水冷式熱交換器１０では、水室Ｓ２１，Ｓ３，Ｓ２２及び伝熱管１２によって形成される水流路に犠牲陽極３０が設けられている。これにより、この水流路では、例えば鉄製、銅製などのケーシング１１、伝熱管１２、前管板２１及び後管板２２よりも、イオン化傾向の高い例えば亜鉛製の犠牲陽極３０が先に腐食する。これにより、ケーシング１１、伝熱管１２、前管板２１及び後管板２２の腐食が防止されることとなる。
【００３９】
［導水部の構造］
図１、図２及び図３に示すように、ケーシング１１は、１つ又は複数の導水部４０を備えている。本実施形態では、ケーシング１１には、複数の犠牲陽極３０のそれぞれに対応する導水部４０が設けられている。導水部４０は、犠牲陽極３０の腐食前においては水室Ｓ２，Ｓ３内の水の進入が阻止される一方で犠牲陽極３０の腐食の進行後には水室Ｓ２，Ｓ３内の水が進入するように構成されている。導水部４０は、前蓋１１ｂ又は後蓋１１ｃに設けられた開口部１１ｆを塞ぐように前蓋１１ｂ又は後蓋１１ｃに取り付けられている。
【００４０】
導水部４０は、外壁４０Ｅから水室Ｓ２，Ｓ３までつながる貫通孔５０を有している。貫通孔５０は、犠牲陽極３０の腐食前においては犠牲陽極３０によって塞がれている一方で、犠牲陽極３０の腐食の進行後には水室Ｓ２又は水室Ｓ３に連通し、水室Ｓ２又は水室Ｓ３内の水を外壁４０Ｅ側に案内する機能を有する。貫通孔５０の外側の開口は、外壁４０Ｅによって塞がれている。
【００４１】
図４（Ａ），（Ｂ）は、前蓋１１ｂ又は後蓋１１ｃに設けられた導水部４０及び犠牲陽極３０の付近を拡大した断面図であり、犠牲陽極３０の腐食が進行する前の状態を示している。図４（Ｂ）は、前蓋１１ｂ及び後蓋１１ｃに設けられた導水部３０及び犠牲陽極３０の付近を拡大した側面図であり、図４（Ａ）を方向Ｄに見たときの図である。図４（Ａ），（Ｂ）に示す本実施形態では、導水部４０は、外壁４０Ｅと、導水部本体４１と、連結部材４２とを備えるが、これに限られず、例えば後述する変形例のように連結部材４２を省略することもできる。
【００４２】
外壁４０Ｅは、透明又は半透明の部材によって形成されており、導水部４０に進入した水をケーシング１１の外部から目視するために設けられている。導水部４０の外壁４０Ｅは、ケーシング１１の外壁の一部を構成している。本実施形態では、外壁４０Ｅは、例えばガラス、合成樹脂などの材料によって形成された板状の部材であるが、これに限られない。外壁４０Ｅは、例えばねじ止め、接着剤などの固定手段によって導水部本体４１に固定されている。
【００４３】
導水部本体４１は、前蓋１１ｂ又は後蓋１１ｃに取り付けられ、又は前蓋１１ｂ及び後蓋１１ｃの両方に取り付けられる。これにより、導水部４０が前蓋１１ｂ又は後蓋１１ｃに固定され、又は前蓋１１ｂ及び後蓋１１ｃの両方に固定される。具体的に、導水部本体４１は、開口部１１ｆに挿入された筒状部４１ａと、筒状部４１ａの側面から外側に突出するフランジ部４１ｂとを有する。
【００４４】
筒状部４１ａの一端部（外側の端部）には外壁４０Ｅが取り付けられている。筒状部４１ａは、外壁４０Ｅから遠ざかる方向、すなわち水室Ｓ２又は水室Ｓ３に向かって延びている。筒状部４１ａの他端部（内側の端部）には、犠牲陽極３０が取り付けられる端面４０１が設けられている。本実施形態では、端面４０１は平面であり、これに対向する犠牲陽極３０の端面３０１も平面である。これらの端面３０１，４０１の間には板状で環状のシール部材６１が配置される。これにより、導水部本体４１と犠牲陽極３０との間が水密に維持される。なお、端面３０１，４０１は、これらの間が水密となる構成であれば、必ずしも平面である必要はない。
【００４５】
フランジ部４１ｂは、前蓋１１ｂ又は後蓋１１ｃに設けられた台座部１１ｅに対応する位置に設けられている。フランジ部４１ｂ及び台座部１１ｅのそれぞれには、ボルト６５が挿通される挿通孔が設けられている。このボルト６５によってフランジ部４１ｂが台座部１１ｅに取り付けられる。フランジ部４１ｂと台座部１１ｅとの間にはシール部材６２が介在している。
【００４６】
連結部材４２は、導水部本体４１とは別体の部材であって導水部本体４１と犠牲陽極３０とを連結する機能を有する。本実施形態では、連結部材４２は、導水部本体４１と同じ方向に延びる棒状の部材である。連結部材４２を導水部本体４１に固定する手段、及び連結部材４２を犠牲陽極３０に固定する手段は、特に限定されるものではないが、例えば図４に示すようにねじ締結する手段を挙げることができる。
【００４７】
図４に示すように、連結部材４２の外面には、雄ねじ４２Ｓが形成されおり、導水部本体４１の第１貫通孔５１の内面には、連結部材４２の一端側の部分が螺合される雌ねじ４１Ｓが形成されている。犠牲陽極３０には、連結部材４２の延びる方向と同じ方向に延びるネジ穴が形成されている。このネジ穴の内面には雌ねじ３０Ｓが形成されている。連結部材４２の他端側の部分は、犠牲陽極３０の雌ねじ３０Ｓに螺合される。犠牲陽極３０のネジ穴は貫通孔ではなく、外側（導水部本体４１側）のみが開口している。
【００４８】
前蓋１１ｂ又は後蓋１１ｃに導水部４０及び犠牲陽極３０を取り付ける際には、予め、連結部材４２の一端を導水部本体４１に取り付け、連結部材４２の他端に犠牲陽極３０を取り付けておく。次に、犠牲陽極３０及び導水部４０を蓋の開口部１１ｆに挿入する。そして、導水部本体４１をボルト６５によって前蓋１１ｂ又は後蓋１１ｃに固定する。なお、上記手順の逆手順によって導水部４０及び犠牲陽極３０を蓋から容易に取り外すことができる。
【００４９】
本実施形態では、貫通孔５０は、水溜め部５４を含む。水溜め部５４は、外壁４０Ｅに隣接する位置に設けられている。水溜め部５４は、水溜め部５４に対して外壁４０Ｅとは反対側に隣接する貫通孔５０の内側部分５５よりも内寸が拡大されている。具体的に、水溜め部５４の上下方向の内寸は、貫通孔５０の内側部分５５の内寸（内径）よりも大きい。本実施形態では、水溜め部５４の内径は、貫通孔５０の内側部分５５の内径よりも大きい。水溜め部５４の底部５４Ｂは、内側部分５５の底部５５Ｂよりも低い位置に設けられている。
【００５０】
また、本実施形態では、貫通孔５０は、導水部本体４１を貫通する第１貫通孔５１と、連結部材４２を貫通する第２貫通孔５２とを含む。内側部分５５は、第１貫通孔５１と第２貫通孔５２によって構成されている。第２貫通孔５２の一端は、第１貫通孔５１に連通しており、第２貫通孔５２の他端は、図４に示すように犠牲陽極３０の腐食前においては犠牲陽極３０によって塞がれている。
【００５１】
導水部４０は、貫通孔５０とケーシング１１の外部とを連通する空気孔４０Ａを有している。本実施形態では、空気孔４０Ａは、貫通孔５０の水溜め部５４の上方に設けられており、水溜め部５４とケーシング１１の外部とを連通させる機能を有する。
【００５２】
図５は、前蓋１１ｂ又は後蓋１１ｃに設けられた導水部４０及び犠牲陽極３０の付近を拡大した断面図であり、犠牲陽極３０の腐食が進行した後の状態を示している。腐食が進行すると、連結部材４２の第２貫通孔５２が水室Ｓ２又は水室Ｓ３と連通する。これにより、水室Ｓ２，Ｓ３内の水は、一点鎖線の矢印で示すように貫通孔５０（第２貫通孔５２及び第１貫通孔５１）を通じて外壁４０Ｅ側に案内され、水溜め部５４に到達する。そして、水冷式熱交換器１０の点検などを行うユーザーは、導水部４０の水溜め部５４に進入した水を外壁４０Ｅを通じてケーシング１１の外部から視認することができる。なお、水室Ｓ２，Ｓ３内の水が貫通孔５０に流入するときには、水溜め部５４内の空気の一部は、空気孔４０Ａを通じてケーシング１１の外部に流出する。
【００５３】
本実施形態では、水溜め部５４の底部５４Ｂは、内側部分５５の底部５５Ｂよりも低い位置に設けられている。したがって、図５に示すように、水溜め部５４において水を溜めるための容積を大きくすることができる。そして、空気孔４０Ａが貫通孔５０の上方に設けられている場合には、水溜め部５４内の水位が空気孔４０Ａに達するまでは水が水溜め部５４の外部に漏れ出さない。
【００５４】
［変形例１］
図６（Ａ），（Ｂ）は、導水部４０の変形例１を示す断面図である。図６（Ａ）は、犠牲陽極３０の腐食が進行する前の状態を示しており、図６（Ｂ）は、犠牲陽極の腐食が進行した後の状態を示している。変形例１の導水部４０は、連結部材４２を備えていない点で図４に示す実施形態と異なっている。なお、図４に示す実施形態と同様の構成については図６において図４に示す実施形態と同じ符号を付してその詳細な説明を省略する。
【００５５】
図６に示す変形例１では、導水部４０は、透明又は半透明の部材によって形成された外壁４０Ｅと、導水部本体４１とを備える。
【００５６】
導水部本体４１は、前蓋１１ｂ又は後蓋１１ｃの開口部１１ｆに挿入された筒状部４１ａと、筒状部４１ａの側面から外側に突出するフランジ部４１ｂとを有する。筒状部４１ａの一端部（外側の端部）には外壁４０Ｅが取り付けられている。筒状部４１ａは、外壁４０Ｅから遠ざかる方向、すなわち水室Ｓ２又は水室Ｓ３に向かって延びている。
【００５７】
図６に示すように、導水部４０は、外壁４０Ｅから水室Ｓ２，Ｓ３までつながる貫通孔５０を有している。貫通孔５０は、犠牲陽極３０の腐食前においては犠牲陽極３０によって塞がれている一方で、犠牲陽極３０の腐食の進行後には水室Ｓ２又は水室Ｓ３に連通し、水室Ｓ２又は水室Ｓ３内の水を外壁４０Ｅ側に案内する。
【００５８】
導水部４０の貫通孔５０における外側の開口は、外壁４０Ｅによって塞がれている。導水部４０の貫通孔５０は、犠牲陽極３０の腐食前においては外壁４０Ｅとは反対側の開口５０Ａ（内側の開口５０Ａ）から内部に犠牲陽極３０の少なくとも一部が挿入されることによって開口５０Ａが塞がれている。図６に示す具体例では、犠牲陽極３０の全体が貫通孔５０内に収容されているが、これに限られず、犠牲陽極３０の一部は貫通孔５０から水室Ｓ２又は水室Ｓ３に突出していてもよい。
【００５９】
犠牲陽極３０は、導水部４０の貫通孔５０の形状に対応する形状を有している。貫通孔５０を構成する導水部４０の内側面が例えば円筒状である場合には、犠牲陽極３０は円柱形状を有し、導水部４０の内側面が例えば断面が多角形の筒状である場合には、犠牲陽極３０は断面が多角形の角柱形状を有する。犠牲陽極３０の外側面と貫通孔５０の内側面との間には例えばシールテープなどのシール部材を介在させてもよい。これにより、犠牲陽極３０の外側面と貫通孔５０の内側面との間を水密に維持することができる。
【００６０】
変形例１において、犠牲陽極３０は、外壁４０Ｅから遠い方の端部から腐食し始める。そして、犠牲陽極３０は、図６（Ｂ）において二点鎖線で示すように、外壁４０Ｅ側に徐々に腐食が進行し、水が外壁４０Ｅに達するまで腐食が進行すると、ユーザーは、導水部４０の外壁４０Ｅにまで進入した水を、外壁４０Ｅを通じてケーシング１１の外部から視認することができる。
【００６１】
［変形例２］
図７は、導水部４０の変形例２を示す断面図である。変形例２の導水部４０は、犠牲陽極３０の動きを規制する被覆部材４３を備えている点で変形例１と異なっている。
【００６２】
図７に示す変形例２では、被覆部材４３は、貫通孔５０に挿入された犠牲陽極３０の少なくとも一部を開口５０Ａの外側から覆って犠牲陽極３０の動きを規制する。被覆部材４３は、水室Ｓ２，Ｓ３の水が犠牲陽極３０に到達するにように１つ又は複数の流入孔４３Ａを有する。図７に示す具体例では、被覆部材４３は、多数の流入孔４３Ａを有するメッシュ状の部材によって構成されている。
【００６３】
［変形例３］
図８（Ａ），（Ｂ）は、導水部４０の変形例３を示す断面図である。図８（Ａ）は、犠牲陽極３０の腐食が進行する前の状態を示しており、図８（Ｂ）は、犠牲陽極３０の腐食が進行した後の状態を示している。変形例３の導水部４０は、連結部材４２を備えていない点で図４に示す実施形態と異なっている。
【００６４】
図８に示す変形例３では、導水部４０は、透明又は半透明の部材によって形成された外壁４０Ｅと、導水部本体４１とを備える。
【００６５】
導水部本体４１は、前蓋１１ｂ又は後蓋１１ｃの開口部１１ｆに挿入された筒状部４１ａと、筒状部４１ａの側面から外側に突出するフランジ部４１ｂとを有する。筒状部４１ａの一端部（外側の端部）には外壁４０Ｅが取り付けられている。筒状部４１ａは、外壁４０Ｅから遠ざかる方向、すなわち水室Ｓ２又は水室Ｓ３に向かって延びている。
【００６６】
図８に示すように、導水部４０は、外壁４０Ｅから水室Ｓ２，Ｓ３までつながる貫通孔５０を有している。貫通孔５０は、犠牲陽極３０の腐食前においては犠牲陽極３０によって塞がれている一方で、犠牲陽極３０の腐食の進行後には水室Ｓ２又は水室Ｓ３に連通し、水室Ｓ２又は水室Ｓ３内の水を外壁４０Ｅ側に案内する。貫通孔５０の外側の開口は、外壁４０Ｅによって塞がれている。
【００６７】
筒状部４１ａの一端部（外側の端部）には外壁４０Ｅが取り付けられている。筒状部４１ａは、外壁４０Ｅから遠ざかる方向、すなわち水室Ｓ２又は水室Ｓ３に向かって延びている。筒状部４１ａの他端部（内側の端部）には、犠牲陽極３０が取り付けられる端面４０１が設けられている。変形例３では、端面４０１は平面であり、これに対向する犠牲陽極３０の端面３０１も平面である。これらの端面３０１，４０１の間には板状で環状のシール部材６１が配置される。シール部材６１は、貫通孔５０に連通する貫通孔６３を有する。
【００６８】
図８に示す変形例３では、犠牲陽極３０は、導水部４０の貫通孔５０に連通する孔部３１を有する。この孔部３１は、犠牲陽極３０を貫通する貫通孔ではなく、導水部４０側（外側）のみが開口している。孔部３１は、導水部４０の貫通孔５０が延びる方向と同じ方向に端面３０１から延びている。
【００６９】
犠牲陽極３０は、例えばボルト６６などのような固定部材によって導水部４０に固定されている。具体的に、犠牲陽極３０は、ボルト６６が挿通される挿通孔を有し、導水部４０は、犠牲陽極３０の挿通孔に対応する位置に、導水部本体４１の端面４０１から外側（外壁４０Ｅ側）に延びる挿通孔を有する。そして、ボルト６６は、犠牲陽極３０の端面３０１とは反対側から挿通孔に挿入され、導水部４０の挿通孔に螺合されている。
【００７０】
変形例３では、貫通孔５０は、第１貫通孔５１と、水溜め部５４とによって構成されている。第１貫通孔５１は、図８に示すように犠牲陽極３０の腐食前においては犠牲陽極３０によって塞がれている。水溜め部５４は、第１貫通孔５１（内側部分５５）よりも内寸が拡大されている。水溜め部５４の底部５４Ｂは、内側部分５５の底部５５Ｂよりも低い位置に設けられている。
【００７１】
変形例３では、腐食が進行すると、図８（Ｂ）に示すように、貫通孔５０の第１貫通孔５１が水室Ｓ２又は水室Ｓ３と連通する。これにより、水室Ｓ２，Ｓ３内の水は、貫通孔５０を通じて外壁４０Ｅ側に案内され、水溜め部５４に到達する。そして、水冷式熱交換器１０の点検などを行うユーザーは、導水部４０の水溜め部５４に進入した水を外壁４０Ｅを通じてケーシング１１の外部から視認することができる。
【００７２】
［変形例４］
図９は、導水部４０の変形例４を示す断面図である。変形例４の導水部４０は、貫通孔５０が傾斜部５３を有する点で図８に示す変形例３と異なっている。図９に示すように、傾斜部５３は、外壁４０Ｅ側の部分がその反対側（水室Ｓ２又は水室Ｓ３側）の部分よりも低くなるように傾いた貫通孔５０の一部である。この変形例４では、犠牲陽極３０の腐食の進行後には、水は、傾斜部５３において高い位置から低い位置に流れるので、貫通孔５０内を外壁４０Ｅ側によりスムーズに流れやすくなる。
【００７３】
なお、図９に示す具体例では、傾斜部５３は、導水部本体４１の第１貫通孔５１全体を構成しているが、これに限られず、第１貫通孔５１の一部を構成していてもよい。
【００７４】
［変形例５］
図１０は、導水部４０の変形例５を示す断面図である。変形例５の導水部４０は、貫通孔５０の全体が一定の内径を有する点で、図４に示す実施形態と異なっている。具体的に、図１０に示す変形例５では、貫通孔５０は、連結部材４２に設けられた第２貫通孔５２によって構成されている。したがって、変形例５における貫通孔５０は、図４に示す実施形態のように水溜め部５４を備えていない。
【００７５】
［変形例６］
図１１は、導水部４０の変形例６を示す断面図である。変形例６の導水部４０は、外壁４０Ｅの構成が図４に示す実施形態と異なっている。
【００７６】
図６に示す変形例６では、導水部４０の外壁４０Ｅは、先端壁４０Ｅ１と、先端壁４０Ｅ１から導水部本体４１に向かって延びる側壁４０Ｅ２とを有する。先端壁４０Ｅ１と側壁４０Ｅ２は、共に透明又は半透明の部材によって形成されている。したがって、変形例６では、水溜め部５４に溜まる水を先端壁４０Ｅ１を通じて目視することができるだけでなく、側壁４０Ｅ２を通じて目視することもできる。空気孔４０Ａは、側壁４０Ｅ２の上部に設けられている。
【００７７】
［実施形態のまとめ］
本実施形態では、犠牲陽極３０の腐食が進行している場合には、水冷式熱交換器１０の点検などを行うユーザーは、導水部４０に進入した水を導水部４０の一部を構成する外壁４０Ｅを通じてケーシング１１の外部から視認することができる。したがって、ユーザーは、犠牲陽極３０の消耗度合いを確認する際には、例えばケーシングの一部（例えば犠牲陽極を覆う蓋）を取り外す必要がなく、また、防食ボルトの腐食を検知するための水圧コントローラ、警報コントローラなどを設ける必要もない。よって、本構成では、犠牲陽極３０が消耗したことを簡単な構造で外部から容易に判別することができる。
【００７８】
水冷式熱交換器１０において、導水部４０には外壁４０Ｅから水室Ｓ２，Ｓ３までつながる貫通孔５０が形成されており、貫通孔５０は、犠牲陽極３０の腐食前においては犠牲陽極３０によって塞がれている一方で、犠牲陽極３０の腐食の進行後には水室Ｓ２，Ｓ３内の水を外壁４０Ｅ側に案内するように構成されているのが好ましい。この構成では、貫通孔５０が水室Ｓ２，Ｓ３に連通するまで犠牲陽極３０が腐食すると、貫通孔５０を通じて水室Ｓ２，Ｓ３内の水が外壁４０Ｅ側に案内される。したがって、貫通孔５０が水室Ｓ２，Ｓ３に連通するまでは犠牲陽極３０の使用を継続することができ、貫通孔５０が水室Ｓ２，Ｓ３に連通するまで腐食が進行したときには犠牲陽極３０の交換時期であることをユーザーに知らせることができる。
【００７９】
水冷式熱交換器１０において、導水部４０は、外壁４０Ｅから遠ざかる方向に延びる導水部本体４１と、導水部本体４１とは別体の部材であって導水部本体４１と犠牲陽極３０とを連結する連結部材４２とを備え、貫通孔５０は、導水部本体４１を貫通する第１貫通孔５１と、連結部材４２を貫通する第２貫通孔５２とを含み、第２貫通孔５２の一端は、第１貫通孔５１に連通しており、第２貫通孔５２の他端は、犠牲陽極３０の腐食前においては犠牲陽極３０によって塞がれた構造を例示することができる。
【００８０】
具体的には、連結部材４２の外面には、雄ねじ４２Ｓが形成されおり、導水部本体４１の第１貫通孔５１の内面には、連結部材４２の一端が螺合される雌ねじ４１Ｓが形成されており、犠牲陽極３０には、連結部材４２の他端における雄ねじ４２Ｓが螺合される雌ねじ４１Ｓが形成される構造を例示することができる。この構成では、連結部材４２を介して導水部本体４１と犠牲陽極３０とをねじ構造によって連結することができ、簡単な作業で犠牲陽極３０を導水部４０によって保持させることができる。この連結状態においては、第１貫通孔５１と第２貫通孔５２とによる連続した一続きの孔（貫通孔５０）が形成され、犠牲陽極３０の腐食前においてはこの貫通孔５０を犠牲陽極３０によって塞いだ状態とすることができる。
【００８１】
水冷式熱交換器１０において、貫通孔５０は、犠牲陽極３０の腐食前においては外壁４０Ｅとは反対側の開口５０Ａから内部に犠牲陽極３０の少なくとも一部が挿入されることによって開口５０Ａが塞がれた形態であってもよい。この構成では、犠牲陽極３０を開口５０Ａから貫通孔５０の内部に挿入するだけで、貫通孔５０を塞ぐことができるので、上述したような連結部材４２が不要になる。
【００８２】
水冷式熱交換器１０において、導水部４０は、貫通孔５０に挿入された犠牲陽極３０の少なくとも一部を開口５０Ａの外側から覆って犠牲陽極３０の動きを規制するとともに水室Ｓ２，Ｓ３の水が犠牲陽極３０に到達するにように流入孔４３Ａが形成された被覆部材４３を含んでいるのが好ましい。この構成では、犠牲陽極３０が貫通孔５０から脱落するなどの不具合が生じるのを防止でき、しかも、この被覆部材４３に流入孔４３Ａが形成されているので、水室Ｓ２，Ｓ３の水が犠牲陽極３０に確実に到達して犠牲陽極３０の機能を発揮させることができる。
【００８３】
水冷式熱交換器１０において、被覆部材４３は、多数の流入孔４３Ａを有するメッシュ状の部材によって構成されているのが好ましい。このメッシュ状の部材では、多数の流入孔４３Ａが設けられているので、水室Ｓ２，Ｓ３の水を円滑に犠牲陽極３０側に流入させることができる。
【００８４】
水冷式熱交換器１０において、貫通孔５０は、外壁４０Ｅ側の部分がその反対側の部分よりも低くなるように傾いた傾斜部５３を有していてもよい。この構成では、犠牲陽極３０の腐食の進行後には、水は、傾斜部５３において高い位置から低い位置に流れるので、貫通孔５０内を外壁４０Ｅ側によりスムーズに流れやすくなる。
【００８５】
水冷式熱交換器１０において、貫通孔５０は、外壁４０Ｅに隣接する水溜め部５４を有し、水溜め部５４は、水溜め部５４に対して外壁４０Ｅとは反対側に隣接する貫通孔５０の内側部分５５よりも内寸が拡大されている。この構成では、外壁４０Ｅに隣接する位置に、貫通孔５０の一部として水溜め部５４が設けられており、この水溜め部５４の内寸は、この水溜め部５４に対して外壁４０Ｅとは反対側に隣接する貫通孔５０の内側部分５５の内寸よりも大きい。したがって、水溜め部５４に多くの水を収容することができるので、導水部４０に進入した水の視認性が向上する。
【００８６】
水冷式熱交換器１０において、水溜め部５４の底部５４Ｂは、内側部分５５の底部５５Ｂよりも低い位置に設けられている。この構成では、水溜め部５４において水を溜めるための容積を大きくすることができる。そして、空気孔４０Ａが貫通孔５０の上方に設けられている場合には、水溜め部５４内の水位が空気孔４０Ａに達するまでは水が水溜め部５４の外部に漏れ出さない。
【００８７】
水冷式熱交換器１０において、導水部４０は、貫通孔５０とケーシング１１の外部とを連通する空気孔４０Ａを有している場合には、水室Ｓ２，Ｓ３内の水が貫通孔５０に流入しやすくなる。
【００８８】
水冷式熱交換器１０において、空気孔４０Ａは、貫通孔５０の上方に設けられているのが好ましい。この構成では、貫通孔５０内に水が満たされるまでは、貫通孔５０内の水は空気孔４０Ａからケーシング１１の外部に流出しない。これにより、貫通孔５０内の水がケーシング１１の外部に漏れ出す時期を遅らせることができる。
【００８９】
水冷式熱交換器１０において、ケーシング１１は、筒状の胴部１１ａと、胴部１１ａの端に設けられ、開口部１１ｆを有する蓋１１ｂ，１１ｃと、を備え、導水部４０は、蓋１１ｂ，１１ｃとは別体として設けられたものであり、蓋１１ｂ，１１ｃの開口部１１ｆを塞いでいる形態を例示できる。この構成では、導水部４０は、蓋１１ｂ，１１ｃとは別体として設けられたものであるので、例えば導水部４０において、透明又は半透明の外壁４０Ｅを設けたり、貫通孔５０を設けたりする加工が施しやすい。
【００９０】
［他の変形例］
以上、本発明の実施形態について説明したが、本発明はこれらの実施形態に限定されるものではなく、その趣旨を逸脱しない範囲で種々変更、改良等が可能である。
【００９１】
前記実施形態では、ケーシング１１の内部は、冷媒室Ｓ１と前側水室Ｓ２と後側水室Ｓ３とに区画形成されていたが、ケーシング１１は、冷媒室Ｓ１とこの冷媒室Ｓ１の前側にのみ水室Ｓ２１，Ｓ２２が区画形成されたものであってもよい。この場合には、入口水室Ｓ２２と出口水室Ｓ２１は、例えばＵ字形状の伝熱管によって接続される。
【００９２】
前記実施形態では、導水部４０は、蓋１１ｂ，１１ｃとは別体として設けられたものであり、蓋１１ｂ，１１ｃの開口部１１ｆを塞ぐように構成されていたが、これに限られず、導水部４０は、蓋１１ｂ，１１ｃの一部として構成されていてもよい。
【００９３】
また、前記実施形態の水冷式熱交換器１０は、船舶の空気調和装置等に用いられ、海水を導入する水冷式の熱交換器において特に有用であるが、これ以外の用途に用いられる水冷式の熱交換器においても用いることができる。
【符号の説明】
【００９４】
１０  水冷式熱交換器
１１  ケーシング（シェル）
１１ａ  胴部
１１ｂ  前蓋
１１ｃ  後蓋
１２  伝熱管
２１  前管板
２２  後管板
３０  犠牲陽極
３１  孔部
４０  導水部
４０Ａ  空気孔
４０Ｅ  外壁
４１  導水部本体
４１ａ  筒状部
４１ｂ  フランジ部
４２  連結部材
４３  被覆部材
４３Ａ  流入孔
５０  貫通孔
５０Ａ  貫通孔の開口
５１  第１貫通孔
５２  第２貫通孔
５３  傾斜部
５４  水溜め部
５４Ｂ  水溜め部の底部
５５  貫通孔の内側部分
５５Ｂ  内側部分の底部
Ｓ１  冷媒室
Ｓ２  前側水室
Ｓ２１  出口水室
Ｓ２２  入口水室
Ｓ３  後側水室
【図１】
2016017684.tif 000003
【図２】
2016017684.tif 000004
【図３】
2016017684.tif 000005
【図４】
2016017684.tif 000006
【図５】
2016017684.tif 000007
【図６】
2016017684.tif 000008
【図７】
2016017684.tif 000009
【図８】
2016017684.tif 000010
【図９】
2016017684.tif 000011
【図１０】
2016017684.tif 000012
【図１１】
2016017684.tif 000013